(57)【特許請求の範囲】
【請求項１】
ドアインパクトバーの端部をインナパネルに取り付ける構造であって、
前記インナパネルに取り付けられる基部と、前記ドアインパクトバーの端部が取り付けられる先部と、前記先部と前記基部間に延在しそれらを接続する脚部とを有するブラケットを備え、
前記基部は、前記ドアインパクトバーを平面視した場合に、前記ドアインパクトバーを挟んで前記ドアインパクトバーの長手方向と直交する方向に離れた箇所でそれぞれ前記インナパネルに溶着される一対の基部接合片を有し、
前記先部は、前記ドアインパクトバーの長手方向と直交する方向に延在しその延在方向の中間部に前記ドアインパクトバーの端部が溶着される先部接合片を有し、
前記脚部は、前記一対の基部接合片の端部から前記インナパネルの車幅方向外側に設けられたアウタパネルに向かい延在し、前記先部接合片の延在方向の両端と、前記一対の基部接合片の端部とをそれぞれ接続する一対の脚片を有し、
前記一対の脚片の延在方向の中間部に、前記ドアインパクトバーへの衝突荷重の入力時に変形が誘発される変形誘発部がそれぞれ設けられている、
ことを特徴とするドアインパクトバーの取り付け構造。
【請求項２】
前記脚片は、前記各基部接合片に接続する一対の基部脚片の端部と、前記先部接合片の両端に接続する一対の先部脚片の端部とが接続されることで構成され、
前記変形誘発部は、前記一対の基部脚片の端部と前記一対の先部脚片の端部とが接続される箇所に設けられ、
前記変形誘発部は、前記基部脚片の端部と前記先部脚片の端部とを屈曲させて接続する屈曲部で構成されている、
ことを特徴とする請求項１記載のドアインパクトバーの取り付け構造。
【請求項３】
前記ブラケットは、前記ドアインパクトバーの長手方向に沿った幅と、この幅に直交する長さを有する一枚の鋼板が、前記長さ方向に間隔をおいた複数箇所で屈曲されることで、前記一対の基部接合片、前記一対の基部脚片、前記先部接合片、前記一対の先部脚片、前記一対の前記変形誘発部が前記ドアインパクトバーの長手方向から見て左右対称の形状で形成されている、
ことを特徴とする請求項２記載のドアインパクトバーの取り付け構造。
【発明の詳細な説明】
【技術分野】
【０００１】
本発明はドアインパクトバーの取り付け構造に関する。
【背景技術】
【０００２】
フロントドアやリヤドアのような車両用ドアの内部には、衝突荷重に対する衝撃を吸収して乗員を保護するドアインパクトバーが設けられている。
ドアインパクトバーは、車両前後方向に延在し、その前端および後端がブラケットを介してドアのインナパネルに取り付けられている。
特許文献１（図３，図４，図７）には、ドアインパクトバーをドアのインナパネルに取り付けるブラケットとして、インナパネルに取り付けられる基部と、ドアインパクトバーの端部が取り付けられる先部と、先部と基部間に延在しそれらを接続する脚部とを有するものが提案されている。
【先行技術文献】
【特許文献】
【０００３】
【特許文献１】特開２００６−７６３２６号公報
【発明の概要】
【発明が解決しようとする課題】
【０００４】
ところで、ドアインパクトバーは、側面衝突時の衝突荷重によるドアインパクトバーの車室側への進入を抑制し乗員への障害値の低減を図る観点から、アウタパネルに近接させて配置することが好ましい。
しかしながら、上記従来技術では、ドアインパクトバーをドアのアウタパネルに近接させて配置させるため、インナパネルとアウタパネルとの間隔が大きくなるほど脚部の高さ寸法が大きくなる。
そして、脚部の高さ寸法が大きくなるほど、側面衝突時の衝突荷重がアウタパネルからドアインパクトバーに入力した場合に、より小さい衝突荷重で、脚部が、基部との接続箇所を支点として倒れやすくなり、ドアインパクトバーによる衝撃吸収効果を向上する上で限界があった。
本発明は、上記事情に鑑みなされたものであり、ドアインパクトバーによる衝撃吸収効果の向上を図る上で有利なドアインパクトバーの取り付け構造を提供することを目的とする。
【課題を解決するための手段】
【０００５】
上記目的を達成するために、請求項１記載の発明は、ドアインパクトバーの端部をインナパネルに取り付ける構造であって、前記インナパネルに取り付けられる基部と、前記ドアインパクトバーの端部が取り付けられる先部と、前記先部と前記基部間に延在しそれらを接続する脚部とを有するブラケットを備え、前記基部は、前記ドアインパクトバーを平面視した場合に、前記ドアインパクトバーを挟んで前記ドアインパクトバーの長手方向と直交する方向に離れた箇所でそれぞれ前記インナパネルに溶着される一対の基部接合片を有し、前記先部は、前記ドアインパクトバーの長手方向と直交する方向に延在しその延在方向の中間部に前記ドアインパクトバーの端部が溶着される先部接合片を有し、前記脚部は、前記一対の基部接合片の端部から前記インナパネルの車幅方向外側に設けられたアウタパネルに向かい延在し、前記先部接合片の延在方向の両端と、前記一対の基部接合片の端部とをそれぞれ接続する一対の脚片を有し、前記一対の脚片の延在方向の中間部に、前記ドアインパクトバーへの衝突荷重の入力時に変形が誘発される変形誘発部がそれぞれ設けられていることを特徴とする。
請求項２記載の発明は、前記脚片は、前記各基部接合片に接続する一対の基部脚片の端部と、前記先部接合片の両端に接続する一対の先部脚片の端部とが接続されることで構成され、前記変形誘発部は、前記一対の基部脚片の端部と前記一対の先部脚片の端部とが接続される箇所に設けられ、前記変形誘発部は、前記基部脚片の端部と前記先部脚片の端部とを屈曲させて接続する屈曲部で構成されていることを特徴とする。
請求項３記載の発明は、前記ブラケットは、前記ドアインパクトバーの長手方向に沿った幅と、この幅に直交する長さを有する一枚の鋼板が、前記長さ方向に間隔をおいた複数箇所で屈曲されることで、前記一対の基部接合片、前記一対の基部脚片、前記先部接合片、前記一対の先部脚片、前記一対の前記変形誘発部が前記ドアインパクトバーの長手方向から見て左右対称の形状で形成されていることを特徴とする。
【発明の効果】
【０００６】
請求項１記載の発明によれば、側面衝突による衝突荷重がドアのアウタパネルを介してドアインパクトバーに入力すると、ブラケットの脚部は、衝突荷重を受け止めるが、衝突荷重が所定値を超えると、変形誘発部の箇所で脚部の変形が誘発され、脚部が変形誘発部を境として変形する。
したがって、ブラケットは、従来のように、脚部が、基部との接続箇所を支点として倒れず、ドアインパクトバーを脚部を介して支持できるため、ドアインパクトバーによる衝撃吸収効果の向上を図る上で有利となる。
また、一対の脚部にそれぞれ設けられた変形誘発部により一対の脚部の変形がバランスよく誘発されるため、脚部が、基部との接続箇所を支点として倒れることを防止でき、ドアインパクトバーによる衝撃吸収効果の向上を図る上で有利となる。
請求項２記載の発明によれば、変形誘発部を簡単に形成でき、ブラケットの製造コストの低減を図る上で有利となる。
請求項３記載の発明によれば、ブラケットの加工が簡単にでき、ブラケットの製造コストの低減を図る上でより有利となる。
【図面の簡単な説明】
【０００７】
【図１】実施の形態のドアインパクトバーの取り付け構造が適用された車両ドアのインナパネルを車室外から見た側面図である。
【図２】実施の形態のドアインパクトバーの取り付け構造のブラケットの斜視図である。
【図３】図１のＡＡ線断面図である。
【図４】ブラケットの変形状態を示す図１のＡＡ線断面図である。
【発明を実施するための形態】
【０００８】
以下、本発明の実施の形態について図面を参照して説明する。
図１に示すように、本実施の形態では、ドアインパクトバーの取り付け構造がリヤドアに適用されている場合について説明する。なお、本発明は、リヤドアに限定されずフロントドアにも適用可能である。
【０００９】
ドア１０は、不図示の車両の側部の乗降口を開閉するものであり、ドア１０は、ドア本体１２と、ドア本体１２の上部に設けられ窓開口を形成する窓枠部１４と、昇降することで窓開口を開閉するウインドガラス１６と、ドアインパクトバー１８とを含んで構成されている。
ドア本体１２および窓枠部１４は、車幅方向内側の面を形成する金属製のインナパネル２０と、車幅方向外側の面を形成する金属製のアウタパネル２２（図３参照）とが重ね合わされることで一体的に構成されている。
【００１０】
ドアインパクトバー１８は、金属製で円筒状を呈し、ドアインパクトバー１８は、車両前後方向に沿って配置され、ドアインパクトバー１８の端部が本発明に係るブラケット２４を介してインナパネル２０に取り付けられている。
本実施の形態では、ドアインパクトバー１８の後端が本発明に係るブラケット２４を介してインナパネル２０に取り付けられている場合について説明する。
また、ドアインパクトバー１８の前端は本発明と異なる従来公知の様々な形状のブラケット２６を介してインナパネル２０に取り付けられている。
なお、ドアインパクトバー１８は、前端および後端の少なくとも一方の端部が本発明に係るブラケット２４を介して取り付けられていればよい。
また、ドアインパクトバー１８の断面形状は、円筒形状に限定されるものではなく、従来公知の様々な断面形状が使用可能である。
【００１１】
図１から図３に示すように、ブラケット２４は、ドアインパクトバー１８の長手方向に沿った幅と、この幅に直交する長さを有する一枚の鋼板が、長さ方向に間隔をおいた複数箇所で屈曲されることで形成されている。
【００１２】
ブラケット２４は、基部２８と、先部３０と、脚部３２とを備えている。
基部２８は、インナパネル２０に取り付けられる箇所である。
基部２８は、ドアインパクトバー１８を平面視した場合に、ドアインパクトバー１８を挟んでドアインパクトバー１８の長手方向と直交する方向に離れた箇所でそれぞれインナパネル２０に溶着される一対の基部接合片２８０２を有している。
【００１３】
先部３０は、ドアインパクトバー１８の端部が取り付けられる箇所である。
先部３０は、ドアインパクトバー１８の長手方向と直交する方向に延在しその延在方向の中間部にドアインパクトバー１８の端部が溶着されるＶ字状の先部接合片３００２を有している。
【００１４】
脚部３２は、先部３０と基部２８間に延在しそれらを接続する箇所である。
脚部３２は、先部接合片３００２の延在方向の両端と、一対の基部接合片２８０２の端部とをそれぞれ接続する一対の脚片３２０２を有している。
脚片３２０２は、各基部接合片２８０２に接続する一対の基部脚片３２０２Ａの端部と、先部接合片３００２の両端に接続する一対の先部脚片３２０２Ｂの端部とが接続されることで構成されている。
【００１５】
脚部３２の延在方向の中間部に、ドアインパクトバー１８への衝突荷重の入力時に変形が誘発される変形誘発部３４が設けられている。
変形誘発部３４は、一対の脚片３２０２の延在方向の中間部にそれぞれ設けられており、変形誘発部３４は、一対の基部脚片３２０２Ａの端部と一対の先部脚片３２０２Ｂの端部とが接続される箇所に設けられている。
より詳細に説明すると、変形誘発部３４は、基部脚片３２０２Ａの端部と先部脚片３２０２Ｂの端部とを屈曲させて接続する屈曲部３６で構成されている。
【００１６】
また、一対の基部接合片２８０２、一対の基部脚片３２０２Ａ、先部接合片３００２、一対の先部脚片３２０２Ｂ、一対の変形誘発部３４がドアインパクトバー１８の長手方向から見て左右対称の形状で形成されている。
【００１７】
次に作用効果について説明する。
図３に示すように、側面衝突による衝突荷重がドア１０のアウタパネル２２を介してドアインパクトバー１８に入力すると、ドアインパクトバー１８に入力された衝突荷重は、ブラケット２４の先部３０、脚部３２、基部２８を介してインナパネル２０に加わる。
この際、ブラケット２４の脚部３２は、衝突荷重を受け止めるが、衝突荷重が所定値を超えると、変形誘発部３４の箇所で脚部３２の変形が誘発され、図４に示すように、一対の先部脚片３２０２Ｂが変形誘発部３４を境として変形する。
したがって、ブラケット２４は、従来のように、脚部３２が、基部２８との接続箇所を支点として倒れず、ドアインパクトバー１８を一対の基部脚片３２０２Ａを介して支持できる。言い換えると、ブラケット２４は変形するもののブラケット２４の倒れを阻止しブラケット２４によりドアインパクトバー１８を支持できるため、ドアインパクトバー１８による衝撃吸収効果の向上を図る上で有利となる。
【００１８】
また、本実施の形態では、一対の脚部３２にそれぞれ設けられた変形誘発部３４により一対の脚部３２の変形がバランスよく誘発されるため、脚部３２が、基部２８との接続箇所を支点として倒れることを防止でき、ドアインパクトバー１８による衝撃吸収効果の向上を図る上で有利となる。
【００１９】
また、変形誘発部３４は、ブラケット２４に孔をあけることで、あるいは、ブラケット２４の肉厚を薄くすることなどでも形成できるが、本実施の形態のように屈曲部３６で変形誘発部３４を形成すると、変形誘発部３４を簡単に形成でき、ブラケット２４の製造コストの低減を図る上で有利となる。
【００２０】
また、本実施の形態では、一枚の鋼板を屈曲することで変形誘発部３４を有するブラケット２４を形成したので、ブラケット２４の加工が簡単にでき、ブラケット２４の製造コストの低減を図る上でより有利となる。
【符号の説明】
【００２１】
１０  ドア
１８  ドアインパクトバー
２０  インナパネル
２４  ブラケット
２８  基部
２８０２  基部接合片
３０  先部
３００２  先部接合片
３２  脚部
３２０２  脚片
３２０２Ａ  基部脚片
３２０２Ｂ  先部脚片
３４  変形誘発部
３６  屈曲部
【図１】
0006459403.tif 000002
【図２】
0006459403.tif 000003
【図３】
0006459403.tif 000004
【図４】
0006459403.tif 000005